(57)【要約】【解決手段】バックプレーンコネクタ筐体に、単一の部品として、挿入され得、かつそこから取り外され得る一体化された信号対素子が、開示される。各素子は、一対の導電端子を離間配列に支持するための絶縁性枠を含む。この枠は、信号対の３つの側面の周囲に延在する接地面を提供する接地遮蔽に付着される。ケーブル電線は、信号対の末端部分に終端され、絶縁性材料が、ケーブル電線終端領域上に成型されて、一体化された信号対素子を形成する。個々の信号対素子は、信号対素子のアレイの接地遮蔽と接触する共通化部材により、信号対素子の線形アレイ中に共に共通化され得る。【選択図】図４
2016511528.tif 000002
【特許請求の範囲】
【請求項１】
コネクタ筐体に挿入するための信号対素子であって、
一対の細長い導電性の端子であって、各端子が、縦方向に延在し、かつ相互に離間され、各端子が、その対向端部に配設されたそれぞれのコンタクト部分および末端部分を含み、前記コンタクト部分および末端部分は、本体部分により相互接続される、一対の細長い導電性の端子と、
前記端子を支持する絶縁性の支持枠であって、該支持枠は、少なくとも第１および第２の部分を含み、各部分は、前記端子に対して横方向に延在し、かつ該端子と係合してそれらを離間配列に固定し、前記第１および第２の部分は、相互に縦方向に離間され、前記第１および第２の部分は、前記端子を離間関係に支持する、絶縁性の支持枠と、
細長い接地遮蔽であって、該細長い接地遮蔽は、チャネル構成を有し、かつ２つの側壁により縁取られた基底を含み、前記支持枠は、前記チャネル中に配設され、かつ前記側壁間に横方向に延在し、前記支持枠は、前記端子の対を基底上に離間させ、前記接地遮蔽、支持枠、および端子の対は、コネクタ筐体の単一の共通開口部に挿入され得る単一の部品として一体に保持される、細長い接地遮蔽と、を備える、信号対素子。
【請求項２】
前記支持枠は、前記端子の対と並んで長手方向に延在する側面部分を含み、かつ端子と側壁との間に介装される、請求項１に記載の信号対素子。
【請求項３】
前記支持枠は、前記本体部分の部分を空気に露出させる、前記第１の部分と第２の部分との間に配設された開口部を含む、請求項１に記載の信号対素子。
【請求項４】
前記末端部分にそれぞれ終端される一対の電線を更に含み、前記接地遮蔽は、電線の対を受容し、かつそれを前記支持枠と整列して保持するための電線ネストを含み、該電線ネストは、接地遮蔽の一部として形成され、前記信号対素子は、電線の対を接地遮蔽に対して接触させるための電線クランプを更に含む、請求項１に記載の信号対素子。
【請求項５】
共通化（ｃｏｍｍｏｎｉｎｇ）部材を更に含み、該共通化部材は、前記側壁と接触し、かつ前記信号対素子の終端領域上で前記接地遮蔽に対して横方向に延在し、前記共通化部材は、電線の対と接触することにより電線クランプとして働く、請求項４に記載の信号対素子。
【請求項６】
前記共通化部材は、他の信号対素子の接地遮蔽と接続して、信号対素子の共通化されたアレイを形成するために少なくとも１つの側壁を超えて横方向に延在し、各信号対素子は、コネクタ筐体のそれぞれの単一の開口部に挿入可能である、請求項５に記載の信号対素子。
【請求項７】
前記支持枠は、前記接地遮蔽と接触して前記支持枠を前記チャネル内の適所に固定する第１および第２の止め部を含む、請求項１に記載の信号対素子。
【請求項８】
前記接地遮蔽は、前記側壁に配設された第１および第２の切り欠き部を含み、該切り欠き部は、前記第１および第２の止め部をそれぞれ受容することにより前記支持枠と係合する、請求項７に記載の信号対素子。
【請求項９】
前記支持枠は、前記側壁と係合し、かつ該側壁間に横方向に延在し、前記接地遮蔽は、それが２つの異なる方向および３つの異なる面内に延在して、前記端子の対をその３つの側面上に部分的に包囲するような構成を有する、請求項１に記載の信号対素子。
【請求項１０】
差動信号をコネクタ筐体を通して伝送するための信号対素子であって、
一対の細長い導電性の端子であって、各端子は、本体部分により相互接続されたコンタクト部分および末端部分を含む、一対の細長い導電性の端子と、
該端子を、縦方向の離間配列に支持するための絶縁性の支持枠であって、前記支持枠は、前記端子と係合してそれらを離間され配列に固定するための少なくとも第１および第２の部分を含み、前記第１および第２の部分は、縦方向に相互に離間され、かつ前記端子に対して横方向に延在する、絶縁性の支持枠と、
細長い接地遮蔽であって、該接地遮蔽は、Ｕ字形のチャネルを共同して画定する２つの側壁により縁取られた基底を含み、前記支持枠は、チャネルに配設され、前記端子の対を前記基底上かつ前記側壁間に離間させ、前記支持枠は、前記信号対素子および前記接地遮蔽が、コネクタ筐体の単一の開口部に挿入され得るように前記接地遮蔽に更に付着される、細長い接地遮蔽と、を備える、信号対素子。
【請求項１１】
前記支持枠は、前記端子の対に沿って縦方向に延在し、かつ前記本体部分と前記側壁との間に介装された側面部分を含む、請求項１０に記載の信号対素子。
【請求項１２】
前記第１および第２の部分ならびに前記側面部分は、共に相互接続され、かつ前記端子の部分を空気に露出させる開口部を、前記支持枠中に共同して画定する、請求項１１に記載の信号対素子。
【請求項１３】
前記コンタクト部分は、幅、Ｗを有し、２Ｗ以下の距離だけ相互に離間され、かつＷ未満の距離だけ前記側壁から離間される、請求項１１に記載の差動信号対素子。
【請求項１４】
前記末端部分に終端される一対の電線および前記接地遮蔽に接続された電線接地クランプを更に含み、該電線接地クランプは、前記対の電線の外部表面と接触する、請求項１１に記載の差動信号対素子。
【請求項１５】
前記電線の部分、前記末端部分ならびに支持枠および接地遮蔽のコンタクト部分上に成型された後部絶縁性部分を更に含む、請求項１４に記載の信号対素子。
【請求項１６】
前記電線接地クランプは、前記側壁に対して横方向に延在し、かつ前記側壁および前記電線の対と接触する共通化プレートを含む、請求項１４に記載の信号対素子。
【請求項１７】
前記共通化プレートは、長さを有し、それにより、それが、他の信号対素子の接地遮蔽に接続されて、共に相互接続された個々の信号対素子のアレイを形成し得る、請求項１６に記載の信号対素子。
【請求項１８】
絶縁性のコネクタ筐体であって、内部に所定のパターンに配設された複数の個々の開口部を含む、絶縁性のコネクタ筐体と、
複数の個々の信号対素子と、を備える、高速度コネクタであって、各信号対素子は、
一対の導電性の端子であって、各端子は、その対向端部に配設されたコンタクト部分および末端部分を含み、前記コンタクト部分および末端部分は、端子本体部分により相互接続される、一対の導電性の端子と、
絶縁性の支持枠であって、前記端子の対と係合してそれらを離間配列に支持する少なくとも第１および第２の部分を含む、絶縁性の支持枠と、
接地遮蔽であって、該接地遮蔽は、前記支持枠および端子の対を受容するチャネルを共同して画定する２つの側壁により縁取られた基底を含み、前記支持枠、端子、および接地遮蔽は、前記端子の対および接地遮蔽が前記コネクタ筐体の単一の開口部に受容されるように共に相互接続される、接地遮蔽と、を含む、高速度コネクタ。
【請求項１９】
前記末端部分に終端される対の電線、および前記接地遮蔽の一部を相互接続して信号対素子のアレイを形成して、個々の信号対素子が、前記コネクタ筐体のそれぞれの単一の開口部に挿入され得る、導電性の共通化部材を更に含む、請求項１８に記載のコネクタ。
【請求項２０】
前記共通化部材は、前記アレイ化された信号対素子の側壁を横切って延在して、前記電線の対と接触してそれらを押圧して前記接地遮蔽と接触させる、請求項１９に記載のコネクタ。
【請求項２１】
各アレイ化された信号対素子の前記端子の対、電線、接地遮蔽および共通化部材の部分上に成型された絶縁性材料を更に含む、請求項２０に記載のコネクタ。
【請求項２２】
各接地遮蔽は、前記電線の自由端を受容する電線ネストを含み、該電線ネストは、前記電線の対のドレン電線と接触するプレスアームを含む、請求項１９に記載のコネクタ。
【請求項２３】
前記開口部は、一連の行に配列され、開口部の交互の行は、相互に整列される、請求項１８に記載のコネクタ。
【請求項２４】
前記開口部は、一連の離間された行に配列され、開口部は、一行中の一端子が隣接する行中の信号対素子のほぼ中央と整列される、ように整列される、請求項１８に記載のコネクタ。
【発明の詳細な説明】
【技術分野】
【０００１】
関連出願
本開示は、「一体化された信号対素子およびそれを使用するコネクタ」と題され、米国特許商標局に２０１３年３月１３日付で出願された先の米国仮特許出願第６１／７７９，７５７号の優先権を主張する。上記特許出願の内容は、その全体が本明細書に完全に組み込まれる。
【背景技術】
【０００２】
本開示は、概して、バックプレーンコネクタに関し、より具体的には、バックプレーン適用に利用される改良したケーブルアセンブリコネクタに関する。
【０００３】
ウェーハ化構造体を利用する現存のバックプレーンコネクタは、設備が法外に高価になり得る。ウェーハは、設定数の信号対および信号対と関連付けられた接地素子を支持するように設計される。これらの素子は、通常は、熱可塑性プラスチックから形成された枠により支持され、成型が信号および接地素子の部分上に施される。したがって、各特定のウェーハは、それ自身の成型体ならびにスタンプ加工および成形加工の作業を要する。このように、ウェーハ化コネクタの設備に要するコストは高い。
【０００４】
顧客は通常、新規なウェーハの設備を整えるための回収不能の設備料を支払うために極めて大きい操業度または意欲を有する必要がある。各ウェーハ数を、スタンプ加工金型、型穴、めっき細工、アセンブリ細工を含めて、新部品として細工しなければならず、コネクタを完成ケーブルアセンブリに４対ウェーハ成型体として組み立てるための細工は、３対ウェーハまたは５対ウェーハのいずれにも使用できない。本質的に、異なる対数のウェーハを生産するためには、複数組の細工が必要である。異なる対数のウェーハの端子アセンブリ用の同一のスタンプ加工および成形加工の機器を用いることは、各特定数のウェーハに対してスタンプ加工および成形加工の部材も変更されなければならないため、費用が幾分かさみ、労力を招くのみならず製造時間も増大させる。
【０００５】
ウェーハ構築を利用する現存のバックプレーンケーブルコネクタは、一の列から別の列に全対を接続するよりも複雑な配線方式を、容易には支持しない。対が特定の文字の構成を追跡する場合の、Ｗ、Ｘ、およびＹ配線方式等の、「文字式」配線方式は、構築が困難である。したがって、製造コストを低減する信号対部品を利用するコネクタに対して、需要が存在する。
【０００６】
本開示は、種々の異なる構成のコネクタ筐体に挿入され得、前述の不都合を克服する、個々の信号対素子を利用する改良したコネクタを対象とする。
【発明の概要】
【課題を解決するための手段】
【０００７】
本開示の原理によれば、コネクタ設計者がバックプレーンコネクタアセンブリのコネクタ筐体のみを修正して、種々の信号対配列を受容することを可能とする、信号端子および接地端子または遮蔽の一体化された構造を持つ信号対素子が提供される。この概念は、複数対ウェーハの必要性を除去し、それを単一対素子、または「チックレット」、概念で置き換えるもので、信号端子および接地面は、コネクタ筐体に対して挿脱自在な単一ユニットに一体化される。新規な対数のコネクタアセンブリに対しては、細工される必要がある唯一の構造体は、前部コネクタ筐体であり、それと関連付けられた細工、即ち、成型体およびインサートは、２５，０００．００ドル未満のコストとなるに相違ない。このことにより、特定数のウェーハに対する細工は５００，０００．００ドルに近く、場合によってはこれを超えるので、少量でのプログラムに対する場合でも、新規なコネクタ設計プログラムに対する参入コストを大幅に低減させる。
【０００８】
複数対ウェーハ内の任意の単一対が不良（例えば、断線、短絡、誤配線、不良インピーダンスまたは挿入損失）である場合、ウェーハ全体を、その関連付けられた信号端子および接地面の全てと共に、廃棄しなければならない。その場合、修理者は、当該不良のウェーハと関連付けられた電線の全てを切断し、それらを交換ウェーハに終端処理しなければならず、修理の時間およびコストを増大させる。本開示の設計では、単一の対素子が不良であれば、これを交換すればよく、論理的には、２〜３本の電線しか、交換信号対素子に終端させる必要はない。このことだけでも、欠陥の単一対の影響を受けず、労力および材料の量を最小化することになる。更に、本開示のコネクタの最小のユニット、または構築ブロックは、信号対および接地面を一体化する信号対素子、またはチックレット、であるので、コネクタ筐体内に複雑な配線パターンを任意のＷ、ＸまたはＹ的に支持することが、今や実現可能である。システム構築の点で、行カード上の一の列からの対は、多くの他の行カードに分割され得ることが意味される。
【０００９】
以下の本開示に説明される実施形態によれば、信号対素子は、縦方向に延在する２つの細長い導電信号端子により離間的に画定される。絶縁性支持枠が提供され、２つの信号端子を、それらの離間配列に支持する。枠は、端子の部分を包囲する１つ以上の開口部を有し得、その場所での信号対素子の特性インピーダンスを制御する。端子の先端は、好ましくはピンとして形成されたコンタクト部分を含み、対向する嵌合コネクタの対応するコンタクト部分と係合する。端子は、それらの対向端部に末端部分を含み、ケーブルの電線は、好ましくは、はんだ付け、溶接等によりそれらに終端される。
【００１０】
接地部材は、好ましくは接地遮蔽の形態であり、信号端子の各対と関連して提供される。接地遮蔽は、概してＵ字形構成を有し得、信号対端子が中に支持される細長い接地チャネルを画定する。この点で、接地遮蔽は、信号端子の長手軸に対して横方向に延在する幅広の基底、および端子から横方向に離間された、信号対素子の側面を画定する離間側壁を有する。枠は、接地遮蔽の内部に受容され、信号端子を接地遮蔽基底および側壁から離間するように働く。したがって、端子は、それらの４つの側面のうちの少なくとも３つの側面で、接地遮蔽の部分により境を接する。ケーブル電線が信号端子に終端される領域は、ホットメルト、低密度ポリエチレン、ポリプロピレンまたは液晶ポリマー等の、絶縁性材料で充填されて電線終端部を保護し、信号端子、接地遮蔽およびケーブル電線がその中で単一部品として形成される一体化アセンブリを形成し、これが、コネクタ筐体中の単一開口部に対して挿脱自在である。
【００１１】
信号対素子の横断面構成は、好ましくは、矩形であり、正方形構成も利用され得るので、製造者は、信号対素子を受容するためのコネクタ筐体に単純な開口部を作製するだけでよい。したがって、信号対素子は、信号対およびそれに関連付けられた接地構造体の両方を導入し、接地構造体は、当該信号端子の対間および信号端子と接地遮蔽との間に、所望の間隔を維持する。したがって、対内間隔は維持が容易で、近傍の他の信号対間の対外間隔は同様に維持が容易である。コネクタ筐体中の開口部は、一の開口部が一の信号対素子を収容するように接地面が既に信号対構造体に一体化されているので、複雑な仕方で別個に作製または形成される必要はない。
【００１２】
したがって、本開示の信号対素子およびそれらを組み込むコネクタは、それらが、複数対ウェーハの列または行ではなく、個々の信号対素子、またはチックレットを利用する点で、それら自体を、公知のウェーハ化コネクタから区別する。そのような公知のウェーハは、それらの列に２つ以上の差動信号対を配置し、信号端子と接地構造体との間隔を維持するためにオーバー成型された関連付けられた接地端子または接地面を必然的にさらに含む。多くの場合、２つのウェーハ半体が、共に組み付けられて押圧されて完全なウェーハに形成されなければならず、１つのウェーハの接地構造体が、隣接するウェーハにより部分的に共有される。容易に理解できるように、そのような構造体は、細工するのに複雑でコストがかかる。
【００１３】
対照的に、本開示の個々の信号対素子は、カスタム嵌合適用文字配列または従来の行および列の、いずれかの任意の好適なコネクタ筐体に挿入され得る。信号対素子は、手動または機械のいずれかにより挿入され得、接地遮蔽のチャネル状構成が、コネクタ筐体への挿入中に信号端子のコンタクト部分を保護する保護外殻を提供する。接地遮蔽の端子支持枠との一体化は、接地素子を、特定のパターンに配列されたコネクタ筐体中に形成して、対向する嵌合コネクタの接地素子と嵌合させる必要がないことを意味する。
【００１４】
本開示の個々の信号対素子は、各信号対素子の接地遮蔽のみならず、ケーブル電線の外側導電ラップにも係合する金属共通化ストラップまたはバーにより行中または帯中に共に一団化され得、複数の信号対素子をそれらの接地遮蔽を介して相互接続する。絶縁性樹脂が、その後、支持枠、端子、ケーブル電線、接地遮蔽および共通化ストラップの部分上に成型されて、コネクタ筐体中の同様の数の開口部に容易に挿入され得る単一行の信号対素子を形成し得る。
【００１５】
本開示のこれらのおよび他の目的、特徴および利点が、以下の詳細な説明の考察を通じて、明確に理解されるであろう。
【００１６】
本開示の構造および動作の編成および仕方は、その更なる目的および利点と共に、以下の詳細な説明を、添付の図面と関連付けて、参照することにより最良に理解され得るが、その場合、類似の参照番号は類似の要素を特定する。
【図面の簡単な説明】
【００１７】
【図１】本開示の原理に従って構築された、複数の個々の信号対素子を利用するバックプレーンコネクタの斜視図である。
【図２】図１と同様の図であるが、信号対素子の全部をバックプレーンコネクタ枠から除去しているバックプレーンコネクタの斜視図である。
【図２Ａ】図１の線Ａ−Ａに沿って取った断面図である。
【図２Ｂ】図１の断面部分の側面図である。
【図３】コネクタ枠内に支持された個々の信号対素子の配列を示す、図１のバックプレーンコネクタの底面図である。
【図４】明確にするために後部のオーバーモールド部をファントム画法で示す、図１のバックプレーンコネクタ中に利用される個々の信号対素子の斜視図である。
【図４Ａ】図４の信号対アセンブリの上面図である。
【図４Ｂ】信号対アセンブリをその接地遮蔽素子から除去している図４の信号対素子の部分分解図である。
【図４Ｃ】図４Ｂと同様の図であるが、明確にするために信号対ケーブル電線を信号対アセンブリから除去している図４の信号対素子の部分分解図である。
【図４Ｄ】絶縁性枠により支持された２つの信号端子の上面図である。
【図４Ｅ】図４Ｄの信号端子アセンブリの側面図である。
【図４Ｆ】図４Ｄの端子アセンブリに使用され、それらの支持枠から取り外された一対の信号端子の上面図である。
【図４Ｇ】明確にするために端子を除去した支持枠の、底から取った、斜視図である。
【図５】信号対素子の正面図である。
【図６】複数の信号対素子が、単一の信号対素子の行に共に一体化されている別の実施形態の斜視図である。
【図６Ａ】図６と同様の図であるが、明確にするために絶縁性オーバー成型体を除去して、共通化ストラップがどのように個々の信号対素子を相互接続するのかを示す、別の実施形態の斜視図である。
【図６Ｂ】図６Ａの一団化されたアセンブリの分解図である。
【図７】図６の一団化されたアセンブリに使用される単一の信号対素子の斜視図である。
【図７Ａ】図７と同様の図であるが、明確にするために共通化ストラップを除去している単一の信号対素子の斜視図である。
【図７Ｂ】図７Ａと同様な図であるが、ケーブル電線対を除去して電線ネストの構造を示す単一の信号対素子の斜視図である。
【発明を実施するための形態】
【００１８】
本開示は異なる形の実施形態が可能であるのだが、本開示は、本開示の原理の例示として考察されるべきで、本開示を図示されるように限定するようには意図されないという理解で、特定の実施形態が、図面に示され、本明細書で詳細に説明される。
【００１９】
したがって、特徴または態様に対する言及は、本開示の実施例の特徴または態様を説明するように意図されたもので、そのあらゆる実施形態が説明された特徴または態様を有しなければならないことを意味するのではない。更に、説明は多数の特徴を示すことに留意すべきである。特定の特徴が組み合わされて可能なシステム設計が示されるが、それらの特徴は、明示的には開示されない他の組み合わせにも使用され得る。したがって、描写された組み合わせは、他に注記がない限り、限定するようには意図されない。
【００２０】
図面に示した実施形態において、本開示の様々な要素の構造および動作を説明するために使用される、上、下、左、右、前、および後等の方向表現は、絶対的ではなく相対的である。これらの表現は、要素が図面中に示された位置にあるときに、適合する。しかし、要素の位置の説明が変わる場合は、これらの表現はそれに従って変更される。
【００２１】
図１は、平坦な基端部分２４および１つ以上の側壁２５ａ、２ｂを有する絶縁性コネクタ筐体２２を利用するバックプレーンコネクタ２０を示し、当該側壁は、基端部分２４から外に延在して、それらの間にスロットを画定する。筐体基端部分２４は、図２に示すように、所望の配列にその中に形成された複数の開口部２６を有する。図２中、配列は、千鳥配置の開口部の１つである。導電信号素子および接地素子は、追ってより詳細に説明される、これらの開口部を通り、かつこれらから延在する。
【００２２】
従来のウェーハ化バックプレーンコネクタでは、一連の信号素子が、絶縁性枠部分により支持されている。接地素子はまた、通常は、これらの様式のコネクタに使用される組み込みウェーハであり、それらは絶縁性枠により支持されるので、接地素子は、平坦で平面状の素子の形態を必然的に取らなければならない。複雑な構成の成型接地素子を挿入することは困難であり、この場合、「複雑」とは接地素子が、少なくとも２つの異なる方向および３つの別個の面に延在する部分を有することを意味する。この構成上の制限は、バックプレーンコネクタ設計者を、コネクタアセンブリのウェーハ側で阻害し得る。このことは、コネクタでのクロストークに至り得る。
【００２３】
したがって、本開示は、新規なバックプレーンコネクタおよびそれに使用される信号対素子を対象とする。図４に示すように、本開示は、複数の個々の信号対素子、またはチックレット、３０を提供するが、これらは、その導電素子が、対向する嵌合コネクタ（図示せず）と整列してコネクタ筐体開口部２６を通して突き出るように、コネクタ筐体２２に挿入可能である。各信号対素子３０は、素子３０の縦方向に延在する一対の細長い導電信号端子３２ａ、ｂを含む。信号端子３２ａ、ｂは、それぞれの対向するコンタクト部分３８および末端部分４０を有し、これらは介在する本体部分３９により相互接続される。
【００２４】
実際には、端子は、接地遮蔽側壁の内表面から距離Ｌを離間され、対の端子は、好ましくは、約２Ｌ以上の距離を好ましい間隔として、離間される。端子はまた、好ましくは、接地遮蔽基底の内表面から最上縁までの高さの約４０％の高さを接地遮蔽上に離間されるが、この場合、「最上」は、図３に示されるように方向づけを取られる。
【００２５】
端子３２ａ、ｂは、長手方向に相互に離間された、前部装着部分３５および後部装着部分３６を含む絶縁性枠３４中に支持される。これらの２つの装着部分３５、３６は、端子３２ａ、ｂに対して横方向に延在し、端子上にオーバー成型される。装着部分３５、３６は、端子対間の空間に配設された本体部分を含み、支持枠３０の側壁３７ａ、ｂを、実際に、画定する長手部分に、図４Ｃ〜Ｄに示すように、接合される。２つの装着部分３５、３６は、側壁３７ａ、ｂに接合され、端子本体部分３９の部分を空気に露出させる開放窓４２を共同して画定する。側壁３７ａ、ｂは、それらの上表面上のクラッシュリブ４３として働く部分を含み得、信号対素子３０をコネクタ筐体２２内に定位置に保持する上で助けになる。支持枠３４の底面４１は、好ましくは、図４Ｇに示すように平坦である。底表面４１の後部部分は、支持枠ボタン６３を受容する凹部４１ａを含み得る。
【００２６】
支持枠３４は、横方向に延在する端壁４４ａ、および端壁４４ａから縦方向に後方に延在する一対の肩部分４４ｂを更に含むように示され、端子末端部分４０が延在する終端ネスト４４ｃを画定する。この領域は、絶縁性材料４５でオーバー成型され、ケーブル電線４８の信号対素子３０の終端を固定するように働くと共に、信号対間隔および整列を維持する。信号対導電素子は、前述の信号端子３２ａ、ｂおよび、また、細長い接地遮蔽５６として図示する接地面素子を含む。接地遮蔽５６は、概ね平坦な基底７５を含み、遮蔽は、接地遮蔽５６のほぼ長さに対して延在する側壁５８ａ、ｂを画定する一対の上向きのフランジを含む。接地遮蔽５６が有する概ねＵ字形は、端子対の４表面のうちの３表面に沿って延在する各端子対に対する接地面を提供する。そのような構造体は、異なる３方向での、端子による結合を促進する。接地遮蔽５６の前端部は、図示のように嵌合ブレードの形態を取り得、従来の嵌合コネクタの対向する接地素子と接触するための平坦表面を提供する。
【００２７】
接地遮蔽５６の後端部には、ケーブルネスト５９が提供され、絶縁外被５０により包囲された２本の信号電線４９ａ、ｂを有する電線ケーブル４８を受容してこれを支持する。ドレン、または接地電線５１は、通常、各電線対４９ａ、ｂに対して提供され、外側導電ラップ５２の真下の対を通って長手方向に延在する。ケーブル４８の自由端は、終端部として準備され、露出された各電線導体４９ａ、ｂの自由端の長さを有し、ケーブルドレン電線５１がケーブル外側導電ラップ５２上にケーブル４８から折り返される。ケーブルネスト５９は、接地遮蔽基底５７から離間され、図４Ｃに最良に示されるように、タブ６２を経由して接地遮蔽基底５７から垂直方向にオフセットされる。ネスト５９は、２つのアーム部分６０ａを有するケーブルクランプ６０を更に含み、当該アーム部分は、ケーブル４８上に折り重ねられてケーブル外側ラップ５２に圧着され、あるいはそれに接触される。一対の安定化ウイング６１が、ケーブルネスト５９から外方に延在し、素子の後部オーバーモールド部分４５に対して補強を提供するように作用する。これらのウイング６１は、信号対素子のオーバーモールド部分４５に対する補強を提供することになるが、ケーブルドレン電線がはんだ付けのために位置付けられるコンタクトプラットフォーム、または表面、も提供することになる。重要なことに、ドレン電線５１は、ケーブル外側導電ラップ５２に沿って後方に折り重ねられるので、それが、信号電線４９ａ、４９ｂの露出自由端近傍のいずれの場所にも延在することにはならない。この構造体では、ドレン電線５１は、ケーブル信号電線の自由端が延在する方向と対向する方向に延在する。
【００２８】
端壁４４ａおよび肩部４４ｂは、水平の、概ねＵ字形を水平方向に形成して、端子末端部分４０を部分的に包囲し、かつ共同してオーバーモールド部分４５に対する基礎を形成して支持枠３４に密着させる一方、終端領域、ケーブルネスト５９、およびケーブル電線４８の自由端を包囲する。ケーブルネストウイング６１は、オーバーモールド部分４５により取り込まれ、これらは、当該領域を少なくとも部分的に補強して、アセンブリ工程中に応力が信号対素子に適用された場合に破損を阻止する。この領域はまた、図４Ａに示すように、露出電線導体とそれらの関連付けられた末端部分との間の領域を、特定の誘電率を有するプラスチックタイプの材料で充填するため、システムのインピーダンスは、終端領域で所望レベルまたはその近傍に維持され得る。
【００２９】
図４Ｄ〜Ｆを参照して、信号端子３２ａ、３２ｂが不規則な形状を有するが、実質的に相互に鏡像であることが注目される。特に、端子３２ａ、ｂの幅が２領域、Ａ１およびＢ１、で狭小化されているが、これらの領域は、支持枠３４の前側部分および後側部分３５、３６が端子３２ａ、ｂと係合する場所に生じる。これらの領域には、所望量の容量結合を信号端子３２ａ、ｂ間ならびに接地遮蔽５６および２つの信号端子３２ａ、ｂ間に維持するために、端子３２ａ、ｂ間の空間は、支持枠３４のプラスチックまたは樹脂で充填される。支持枠材料の誘電率は、空気の誘電率（１．０）より大きくなるので、信号対間に所望レベルの結合、および信号対素子を通るインピーダンス特性を維持するためには、これらの領域での端子幅を狭小化することが好ましい。これらの２領域での端子の狭小化は、また、端子をそれらの所望間隔に固定するための支持枠材料の能力を高める縁部を、端子３２ａ、ｂの側面に沿って作成する。同様に、支持枠３４の窓４２中の信号端子３２ａ、ｂの幅は、当該領域での端子は空気のみにより離間されるので、他の領域におけるよりも大きい。
【００３０】
支持枠３４は、接地遮蔽５６と、それおよびその端子３２ａ、ｂを所望の適当な位置に保持するように、係合するのが好ましい。図示のように、支持枠３４を接地遮蔽５６に固定するための一手段は、対の第１および第２の止め部４６、４７をそれぞれ含み、これらは支持枠側壁３７ａ、ｂから外方に突出する。これらの止め部は、好ましくは、対応する対の第１および第２のスロット６５、６６内に受容されるため、止め部４６、４７およびスロット６５、６６の対向縁部が、相互に接触する。スロット６５、６６は、図示のように構成され得、止め部４６、４７上の突出部と係合するへこみ等を含む。交互の係合手段は、支持枠３４上に形成されたくぼみ、および接地遮蔽側壁５８ａ、ｂ上に形成された相補形状のへこみを含み得る。
【００３１】
接地遮蔽５６はまた、支持枠を接地遮蔽と整列させるための細長いボタン６３の形状の盛り上げ部材を含み得る。細長いボタン６３は、スロット６６の場所で接地遮蔽の強度および剛性の助けになるように、エンボス加工され得る。信号対素子３０をコネクタ筐体２２内の定位置に保持するために、接地遮蔽５６は、舌部またはタブ部材６４として示す捕獲部分を含み得るが、これは接地遮蔽基底５７内にスタンプ加工され、かつ図２Ａ〜Ｂに最良に示すように外向き角度に形成されて、信号対素子３０をそれらのコネクタ筐体開口部２６から引き出す傾向の力を、抵抗する二次側肩部２８上で捕獲する。支持枠端壁４４ａは、コネクタ筐体２２に形成された一次側肩部２７と対面してそれと接触して、信号対素子が筐体開口部２６に挿入され得る範囲を制限する。開口部２６は、図示のように、スロット２６ａおよび肩部２６ｂを有する段差構成を有するため、肩部２６ｂの内部表面は、支持枠側壁クラッシュリブ４３と係合することになり、スロット２６ａ（図２のスロットの底に示される）の内部表面は、接地遮蔽ボタン６３と係合することになる。
【００３２】
信号対素子、またはチックレット、３０の各々が、差動信号を伝送するのに好適な２つの端子を有する一体化された信号対を形成し、これらは、その異なる３つの側面上を少なくとも部分的に包囲する関連付けられた接地遮蔽内に支持され、１つの側面のみを露出された端子の選択された表面としていることが判る。これらの露出された端子は、信号対素子の接地遮蔽基底から上方に（または下方に、方向付けに応じて）離間されることになり、結合が、隣接する信号対素子の接地遮蔽で生じる。このことは、図３に最良に示され、図示の千鳥状配列では、奇数番号行中の各信号対素子の２つの端子が、相互に垂直に整列されていることが分かる。同様に、偶数番号行中の各信号対素子の端子が、共に垂直方向に整列されている。更に、偶数番号の行２、４、６、および８中の各対の右側の端子は、奇数番号行の上または下に位置する信号対素子の隣接する接地遮蔽に対してほぼ中央に配置され、奇数番号の行３、５、および７中の各信号対の左側の端子は、その上または下の信号対素子の隣接する接地遮蔽に対してほぼ中央に配置される。一行中の信号対素子は、隣接する行中のそれらから、約４．７ｍｍ、または信号対素子の幅の約１１５〜約１２０％だけオフセットされる。
【００３３】
このことは、信号対素子を利用するコネクタに、大きな設計上の柔軟性を提供する。これらのチックレット３０は、本質的に、バックプレーンコネクタの個々の構築ブロックであり、Ｃ、Ｈ、Ｏ、Ｕ、Ｘ、Ｙ、またはＷ構成を表示する、文字様式等の、コネクタ筐体内に種々の異なる配列に配列され得る。そのような個々の構築ブロック信号対素子の使用には、コネクタ筐体だけのために細工コストを要し、異なるインサートを有する単一の成型体を包含し得るだけで、複雑なウェーハに対する複雑なものではない。コネクタ設計での新規な対数に対して、コネクタ筐体のみを細工する必要がある。コネクタ中の任意の信号対が不良である場合には、全体のウェーハを廃棄するのではなく、その不良の信号対素子のみを置き換える必要がある。したがって、単一信号対素子設計は、必要な労力および材料を、複数対ウェーハではなく、単一の対素子のものに最小化し、その場合、その導電素子を、コネクタ筐体中の複数の開口部に挿入する必要がある。
【００３４】
図６〜７Ｂは、本開示による信号対素子７０の代替的実施形態を示し、複数の信号対素子７０が相互接続されてそのような素子７０の線形アレイ７１を形成する場合の一団化された適用での使用に特に好適なものを示す。アレイ７０は、コネクタアセンブリ工程を迅速化するように、その後グループとして挿入され得るが、各信号対素子、即ち、端子対および接地遮蔽、がやはり、コネクタ筐体２２の対応する単一の開口部２６に挿入される。図６で、各信号対素子７０が、一対の導電端子７２ａ、ｂおよび絶縁性支持枠７３を支持していることが分かる。先の実施形態のように、支持枠７３および端子対７２ａ、ｂは、２つの側壁７４ｂ、ｃにより縁取られた平坦な基底７４ａを有する概ねＵ字形構成の関連付けられた接地遮蔽７４により部分的に包囲される。接地遮蔽基底７４ａおよび側壁７４ｂは、端子７２ａ、ｂの周囲に延在し、かつそれらを部分的に包囲して、端子対の少なくとも３つの側面上に接地面を提示し、３方向に結合を提供する。
【００３５】
接地遮蔽７４の後端部には、ケーブル電線対４９ａ、ｂの自由端をその中に受容する電線ネスト７５を含む。このネスト７５は、接地遮蔽側壁７４ｂ、ｃの部分および、接地遮蔽７４の一部からスタンプ加工されて形成された内側肩部７６を含む。好ましくは、この内側肩部７６は、電線対４９ａ、ｂの外側ラップ５２と接触し、それを押圧して接地遮蔽７４の対向側壁７４ｃと接触させる。第２の低肩部７６ａは、図７Ｂに示すように提供され、電線対４９ａ、ｂの底部に沿う電線外側ラップ５２と接地遮蔽７４との間に第２の接点を提供する。内側肩部の最上面７４ｂは、電線対ドレン電線５１が接続され得る表面を提供する。
【００３６】
共通化部材７８は、複数の信号対素子を、それらの接地遮蔽を経由して相互接続するように提供される。共通化部材７８は、接地遮蔽７４を横切って延在し、相補形遮蔽タブ７７および共通化部材スロット７９を経由して接地遮蔽側壁７４ｂ、ｃと係合する。共通化部材７８は、信号対素子７０に対して横方向に延在し、図示のように、ドレン電線５１とケーブル対外側ラップ５３との間の高さの差異を調整する、盛り上げバンプまたはディテント、８０を含み得る。共通化部材７８は、単数部材、即ち、単一の信号対素子接地遮蔽のみを横切って延在、であり得、またはそれは、更に横方向に延在して、複数の信号対素子を、それらの関連付けられた接地遮蔽を経由して線形アレイ状に共通に接続し得る。このように、本実施形態における信号対素子７０の共通化部材７８は、先の実施形態の電線ネスト接地クランプ６０と同様の目的に働く。
【００３７】
絶縁性材料８２は、端子末端部分、電線対自由端、接地遮蔽７４および共通化部材７８上に成型され、信号対素子７０を線形アレイ７１に共に相互接続する構造体を形成し、個々の信号対素子７０を所望の配列に保持する。全体的に線形アレイとして示したが、そのようなアレイの信号対素子は、それらが頂および谷の交互の配列に相互接続されたかのように、またはそれらが対直方向に相互接続されたかのように、平面以外であってもよいことが理解される。そのような素子のコネクタ筐体の単一の開口部への単一の挿入を可能にする単数の信号対素子の一体化された構造体は、複数の素子を共に相互接続または一団化を可能にして、素子のアレイを形成する。そのようなアレイは、単一の信号対素子のコネクタ筐体の単一の開口部への挿入を可能にする信号対素子の一体化された構造体を依然維持しながら、単数の素子の挿入に要する時間を削減することになる。
【００３８】
本開示の信号対素子は、それらの低減されたコストにより、特に、修理および／または交換が考慮されるときに、経済的利点のみならず、電気的性能においても、それらのコネクタ設計者に提供する。図３に示した様式のコネクタ設計は、電気的にモデル化され、従来のウェーハ化モデルに対して比較を行った。モデル化により、２．５〜１５ＧＨｚの周波数範囲で、本開示の信号対素子概念は、従来のウェーハ化モデルと比較して、４ｄＢと１０ｄＢとの間での改善を示し、１５〜２５ＧＨｚの周波数範囲では大部分で、それに対して良好であった。本モデル化は、アグレッサ対からビクティム対へ結合されるエネルギーはより少なく、２５ＧＨｚでのエネルギーの大部分は、１７．５ＧＨｚ未満であった。したがって、本開示の信号対素子はまた、性能の改善を提供する。
【００３９】
本開示の好ましい実施形態を示してそれらについて説明を行ったが、当業者であれば、これまでの説明および添付の特許請求の範囲の趣旨および適用範囲から逸脱することなく、種々の変形を考案し得るものと思われる。
【図１】
2016511528.tif 000003
【図２】
2016511528.tif 000004
【図２Ａ】
2016511528.tif 000005
【図２Ｂ】
2016511528.tif 000006
【図３】
2016511528.tif 000007
【図４】
2016511528.tif 000008
【図４Ａ】
2016511528.tif 000009
【図４Ｂ】
2016511528.tif 000010
【図４Ｃ】
2016511528.tif 000011
【図４Ｄ】
2016511528.tif 000012
【図４Ｅ】
2016511528.tif 000013
【図４Ｆ】
2016511528.tif 000014
【図４Ｇ】
2016511528.tif 000015
【図５】
2016511528.tif 000016
【図６】
2016511528.tif 000017
【図６Ａ】
2016511528.tif 000018
【図６Ｂ】
2016511528.tif 000019
【図７】
2016511528.tif 000020
【図７Ａ】
2016511528.tif 000021
【図７Ｂ】
2016511528.tif 000022
【国際調査報告】
2016511528.tif 000023
2016511528.tif 000024
2016511528.tif 000025